【手続補正書】
【提出日】平成20年4月22日(2008.4.22)
【手続補正１】
【補正対象書類名】特許請求の範囲
【補正対象項目名】全文
【補正方法】変更
【補正の内容】
【特許請求の範囲】
【請求項１】
以下の(a)〜(c)からなる群から選択されるジカチオンビス-ヒドラゾン化合物；
(a)  一般式(I)
DYE-L-DYE
〔式中、
発色団DYEの夫々は、同じであってもよく、また異なっていてもよく、下記の式(Ia)、(Ib)、(Ic)、(Id)又は(Ie)：
【化１】
2006348264.tif 000001
【化２】
2006348264.tif 000002
に相当し、
式中、
−基R1及びR5は互に独立に線状又は分岐、飽和又は不飽和C1-C20炭化水素をベースとする鎖を表し、この鎖は必要により置換されていてもよく、必要により酸素及び窒素から選ばれる１個以上のヘテロ原子で中断されていてもよく、
−基R2及びR3は互に独立に、
・必要によりC1-C2アルコキシ、C2-C4（ポリ）ヒドロキシアルコキシ、アミノ、C1-C2（ジ）アルキルアミノで置換された、線状又は分岐C1-C4アルキル基；
・C1-C4アルコキシ基；
・C2-C4（ポリ）ヒドロキシアルコキシ基；
・アミノ基；
・C1-C2（ジ）アルキルアミノ基；
・C2-C4（ポリ）ヒドロキシアルキルアミノ基
を表し、
−二つの隣接基R3は一緒になって飽和又は不飽和、置換又は未置換６員芳香族環を形成することができ、
−R1及びR2はまた、R1で置換された窒素原子とともに、飽和又は不飽和、置換又は未置換５員又は６員複素環を形成してもよく、該複素環は１個以上のアルキル基で置換されていてもよく、
−基R4は互に独立に
・水素原子；
・線状又は分岐、飽和又は不飽和C1-C16炭化水素をベースとする鎖
を表し；
−ｎは０〜５の整数であり、
−n'は０〜４の整数であり、
−式(Ia)、(Ib)、(Ic)、(Id)又は(Ie)中の結合ａは発色団DYEの夫々を式(I)のリンカーＬに結合し、
−Ｘは化合物Ia、Ib、Ic、Id又はIeの一つ以上の電荷を釣り合わせるための有機又は無機のアニオン又はアニオンの混合物であり、
−基Ｌは線状又は分岐C1-C60炭化水素をベースとする鎖であり、Ｌは炭素原子を介して発色団DYEの夫々の四級化窒素原子に結合され、Ｌはカチオンではない〕
又は(b)；
【化３】
2006348264.tif 000003
〔ＤＹＥは先に定義されたとおりであり、
−R'は、同じでも異なっていてもよく、R2と同じ定義を有し、
−R''は、同じでも異なっていてもよく、水素原子又はC1-C4アルキル基を表し、
−ｍは２〜６の整数を表し、
−n''は０〜４の整数を表す〕
又は(c)以下の染料
2-{(E)-〔{4-〔(4-メトキシフェニル)（メチル）アミノ〕フェニル}（メチル）ヒドラゾノ〕メチル}-3,3-ジメチル-1-〔6-(4-{(E)-〔メチル（フェニル）ヒドラゾノ〕メチル}ピリジニウム-1-イル)ヘキシル〕-3H-インドリウムジクロリド、又は
1,1'-ヘキサン-1,6-ジイルビス(2-{(E)-〔{4-〔(4-メトキシフェニル)（メチル）アミノ〕フェニル}（メチル）ヒドラゾノ〕メチル}-3,3-ジメチル-3H-インドリウム)ジクロリド。
【請求項２】
基R1が同じであり、必要によりヒドロキシル基、C1-C2アルコキシ基から選ばれた１個以上の基で置換されていてもよい、C1-C4アルキル基；アルキルカルボニル基（R-CO-）（式中、基ＲはC1-C4アルキル基を表す）を表す、請求項１記載のジカチオンビス-ヒドラゾン化合物。
【請求項３】
基R1が同じであり、メチル基、エチル基、2-ヒドロキシエチル基、2-メトキシエチル基又はアセチル（CH3CO-）基を表す、請求項１記載のジカチオンビス-ヒドラゾン化合物。
【請求項４】
基R1及びR2が、R1で置換された窒素原子とともに、１個以上のアルキル基で置換された飽和又は不飽和５員又は６員複素環を形成する、請求項１から３のいずれか１項記載のジカチオンビス-ヒドラゾン化合物。
【請求項５】
基R2及びR3が互に独立に、メチル基、エチル基、2-ヒドロキシエチル基、2-メトキシエチル基、アセチル（CH3CO-）基、ヒドロキシル基、アミノ基、メチルアミノ基、ジメチルアミノ基、2-ヒドロキシエチルアミノ基、メトキシ基又はエトキシ基を表す、請求項１記載のジカチオンビス-ヒドラゾン化合物。
【請求項６】
基R5が同じであり、必要によりヒドロキシル基、C1-C2アルコキシ基、アミノ基及びC1-C2（ジ）アルキルアミノ基から選ばれた１個以上の基で置換されていてもよい、C1-C4アルキル基を表す、請求項１記載のジカチオンビス-ヒドラゾン化合物。
【請求項７】
基R5が同じであり、メチル基、エチル基、2-ヒドロキシエチル基又は2-メトキシエチル基を表す、請求項１から６のいずれか１項記載のジカチオンビス-ヒドラゾン化合物。
【請求項８】
化合物が下記の化合物：
4-{(E)-〔メチル（フェニル）ヒドラゾノ〕メチル}-1-〔3-(4-{(E)-〔メチル（フェニル）ヒドラゾノ〕メチル}ピリジニウム-1-イル)プロピル〕ピリジニウムジブロミド、
4-{(E)-〔メチル（フェニル）ヒドラゾノ〕メチル}-1-〔4-(4-{(E)-〔メチル（フェニル）ヒドラゾノ〕メチル}ピリジニウム-1-イル)ブチル〕ピリジニウムジブロミド、
4-{(E)-〔メチル（フェニル）ヒドラゾノ〕メチル}-1-〔5-(4-{(E)-〔メチル（フェニル）ヒドラゾノ〕メチル}ピリジニウム-1-イル)ペンチル〕ピリジニウムジブロミド、
4-{(E)-〔メチル（フェニル）ヒドラゾノ〕メチル}-1-〔6-(4-{(E)-〔メチル（フェニル）ヒドラゾノ〕メチル}ピリジニウム-1-イル)ヘキシル〕ピリジニウムジブロミド、
4-{(E)-〔メチル（フェニル）ヒドラゾノ〕メチル}-1-(6-{〔4-({〔6-(4-{(E)-〔メチル（フェニル）ヒドラゾノ〕メチル}ピリジニウム-1-イル)ヘキシル〕アミノ}カルボニル)ベンゾイル〕アミノ}ヘキシル)ピリジニウムジブロミド、
4-{(E)-〔メチル（フェニル）ヒドラゾノ〕メチル}-1-〔6-(4-{(E)-〔メチル（フェニル）ヒドラゾノ〕メチル}キノリニウム-1-イル)ヘキシル〕キノリニウムジブロミド、
4-{(E)-〔メチル（フェニル）ヒドラゾノ〕メチル}-1-〔6-(4-{(E)-〔メチル（フェニル）ヒドラゾノ〕メチル}ピリジニウム-1-イル)ヘキシル〕キノリニウムジブロミド、
1-メチル-3-〔5-(1-メチル-2-{(E)-〔メチル（フェニル）ヒドラゾノ〕メチル}-1H-イミダゾール-3-イウム-3-イル)ペンチル〕-2-{(E)-〔メチル（フェニル）ヒドラゾノ〕メチル}-1H-イミダゾール-3-イウムジブロミド、
1-メチル-3-〔4-(1-メチル-2-{(E)-〔メチル（フェニル）ヒドラゾノ〕メチル}-1H-ベンゾイミダゾール-3-イウム-3-イル)ブチル〕-2-{(E)-〔メチル（フェニル）ヒドラゾノ〕メチル}-1H-ベンゾイミダゾール-3-イウムジブロミド、
1-〔6-(1-メチル-2-{(E)-〔メチル（フェニル）ヒドラゾノ〕メチル}-1H-イミダゾール-3-イウム-3-イル)ヘキシル〕-4-{(E)-〔メチル（フェニル）ヒドラゾノ〕メチル}キノリニウムジブロミド、
1-〔6-(1-メチル-2-{(E)-〔メチル（フェニル）ヒドラゾノ〕メチル}-1H-ベンゾイミダゾール-3-イウム-3-イル)ヘキシル〕-4-{(E)-〔メチル（フェニル）ヒドラゾノ〕メチル}キノリニウムジブロミド、
1,1'-ペンタン-1,5-ジイルビス(4-{(E)-〔メチル（フェニル）ヒドラゾノ〕メチル}キノリニウム)ジブロミド、
1,1'-ブタン-1,4-ジイルビス(4-{(E)-〔メチル（フェニル）ヒドラゾノ〕メチル}キノリニウム)ジブロミド、
1,1'-プロパン-1,3-ジイルビス(4-{(E)〔メチル（フェニル）ヒドラゾノ〕メチル}キノリニウム)ジブロミド、
2-{(E)-〔{4-〔(4-メトキシフェニル)（メチル）アミノ〕フェニル}（メチル）ヒドラゾノ〕メチル}-3,3-ジメチル-1-〔6-(4-{(E)-〔メチル（フェニル）ヒドラゾノ〕メチル}ピリジニウム-1-イル)ヘキシル〕-3H-インドリウムジクロリド、
1,1'-ヘキサン-1,6-ジイルビス(2-{(E)-〔{4-〔(4-メトキシフェニル)（メチル）アミノ〕フェニル}（メチル）ヒドラゾノ〕メチル}-3,3-ジメチル-3H-インドリウム)ジクロリド
から選ばれる、請求項１から７のいずれか１項記載のジカチオンビス-ヒドラゾン化合物。
【請求項９】
好適な染色媒体中に、請求項１記載の少なくとも一種のジカチオンビス-ヒドラゾン化合物を含むことを特徴とするケラチン繊維を染色するための染料組成物。
【請求項１０】
組成物の合計質量に対し0.001〜10質量％の少なくとも一種のジカチオンビス-ヒドラゾン化合物を含む、請求項９記載の染料組成物。
【請求項１１】
組成物が過酸化水素、尿素ペルオキシド、アルカリ金属ブロメート、過塩、過酸及びオキシダーゼ酵素から選ばれた少なくとも一種の酸化剤を含む、請求項９記載の組成物。
【請求項１２】
請求項９記載の染料組成物をケラチン繊維に適用する工程、次いで所望の着色を得るのに充分に長い期間にわたってそれを作用させる工程を含むことを特徴とする、ケラチン繊維の染色方法。
【請求項１３】
外部の薬剤及びシャンプーに対する良好な耐性を示す染色結果を得るための、ケラチン繊維についての請求項９記載の組成物の使用。